(57)【要約】【課題】種々の状況下において、側壁などが破れ難く、より安定的に運ぶことができる包装箱を提供する。種々の状況下において、外観が良好に保たれ易い包装箱を提供する。【解決手段】包装箱１は、少なくとも一対の互いに対向する側壁２，４と、側壁２，４の上端から横向きに延びる天井板部２Ｔ，４Ｔとを有し、一対の側壁２，４に、折曲げ予定線７と第１切込み線８とを含む手掛け穴形成部６が設けられており、手掛け穴形成部６と天井板部２Ｔ，４Ｔとの間に鉛直線と交差する第２切込み線９が設けられている。【選択図】図１
2013241216.tif 000002
【特許請求の範囲】
【請求項１】
少なくとも一対の互いに対向する側壁と、前記側壁の上端から横向きに延びる天井板部とを有し、
前記一対の側壁に、折曲げ予定線と第１切込み線とを含む手掛け穴形成部が設けられており、
前記手掛け穴形成部と前記天井板部との間に鉛直線と交差する第２切込み線が設けられている包装箱。
【請求項２】
前記第２切込み線が互いに左右に離間配置された一対の切込み線で構成されている請求項１に記載の包装箱。
【請求項３】
前記第２切込み線が前記側壁を構成する段ボールの段目に対して傾斜するように形成されている請求項１または２に記載の包装箱。
【請求項４】
前記第２切込み線が水平方向に対して傾斜して延びている請求項１から３のいずれか一項に記載の包装箱。
【請求項５】
前記第２切込み線が同第２切込み線の下方に中心を備えた円弧状を呈している請求項１から３のいずれか一項に記載の包装箱。
【請求項６】
前記第２切込み線が左右外側に向かって次第に下降する向きに傾斜している請求項４または５に記載の包装箱。
【請求項７】
第２切込み線の上端部には内側下方に向かう小径円弧状の湾曲部が設けられている請求項６に記載の包装箱。
【請求項８】
前記第２切込み線と前記天井板部との間に鉛直線と交差する第３切込み線が設けられている請求項１から７のいずれか一項に記載の包装箱。
【発明の詳細な説明】
【技術分野】
【０００１】
本発明は、複数の側壁と、前記側壁の上端から横向きに延びる天井板部とを有し、前記側壁には一対の手掛け穴を形成するための切込み線部が配置されている包装箱に関する。
【背景技術】
【０００２】
この種の包装箱に関連する先行技術文献情報として下記に示す特許文献１がある。この特許文献１に記された包装箱では、図３０に示すように、手掛け穴を形成するための切込み線部１６が、互いに対向する一対の側壁１２の概して左右中央付近に形成されている。
【０００３】
この切込み線部１６は、図３１（ａ）に示されるように、天井板部１２Ｔの下方に配置された横向きの折曲げ予定線１７と、この折曲げ予定線１７の両端から下方に延びる切込み線１８とを有する。
【０００４】
折曲げ予定線１７と切込み線１８とは互いに協働して横向きに延びた長円形を呈しており、使用者がこの長円形の部位に押し込み力を加えると、長円形の部位は切込み線１８において側壁１２の本体から分離され、同時に、同部位が折曲げ予定線１７でフラップ状に折れ曲がり、包装箱の内側に入り込むことで、長円形の手掛け穴Ｈが形成される。
【０００５】
さらに、図３１（ｂ）に示すように、フラップ部を包装箱の内側で上向きに折り返して側壁１２の裏面と重ね合わせると、フラップ部の揺動先端が天井板部１２Ｔの下面に突っ張り状に接触するように構成されている。
【０００６】
したがって、使用者が手掛け穴Ｈに手を入れて包装箱を運搬する際、折り返されたフラップ部も天井板部１２Ｔを介して荷重を受けるので、手掛け穴Ｈの上端から上の部位が強化されるとされている。
【先行技術文献】
【特許文献】
【０００７】
【特許文献１】実公昭６３−１７７２１８号公報（第３頁７行目〜２０行目、第２図）
【発明の概要】
【発明が解決しようとする課題】
【０００８】
しかし、特許文献１に記された包装箱では、内容物が重過ぎる場合や、想定よりも勢いよく持ち上げられたために段ボール箱と内容物との合計質量を大きく超える荷重が手掛け穴に加えられた場合に、図３１（ｃ）に例示するように、手掛け穴Ｈの上端の左右から包装箱の上縁に向かって破れ、さらに場合によっては手掛け穴Ｈの上端から上の部分が側壁の内側または外側に倒れるように変形されて、包装箱を安定的に運べない虞があった。また、この場合、側壁の手掛け穴の縁が不特定の乱れた線に沿って破れる傾向があるため、包装箱が外観不良となる虞や、包装箱内に収納された商品そのものの商品価値まで低下する虞があった。
【０００９】
そこで、本発明の目的は、上に例示した従来技術による包装箱が与える課題に鑑み、種々の状況下において、側壁などが破れ難く、より安定的に運ぶことができる包装箱を提供することにある。
【００１０】
また、本発明の他の目的は、種々の状況下において、外観が良好に保たれ易い包装箱を提供することにある。
【課題を解決するための手段】
【００１１】
本発明による包装箱の特徴構成は、
少なくとも一対の互いに対向する側壁と、前記側壁の上端から横向きに延びる天井板部とを有し、
前記一対の側壁に、折曲げ予定線と第１切込み線とを含む手掛け穴形成部が設けられており、
前記手掛け穴形成部と前記天井板部との間に鉛直線と交差する第２切込み線が設けられている点にある。
【００１２】
上記の特徴構成を備えた包装箱では、手掛け穴形成部を包装箱の内側に押込むことで手掛け穴が形成され、その後、もしも内容物が重過ぎる場合や段ボール箱と内容物との合計質量を大きく超える荷重が手掛け穴に加えられ、手掛け穴の上端の左右から包装箱の上縁に向かって破れ、当初の手掛け穴が上方に拡大された二次手掛け穴に変わっても、破れ目の伸展は第２切込み線と破れ目とが出会う邂逅位置で止まる。その結果、これら２つの邂逅位置を横に結ぶ位置に、天井板部よりも下方の位置で下向きの端部を備えた新たな手掛け部（破れによって拡大された二次手掛け穴の上端に位置する）が形成されるので、この新たな手掛け部を用いて、引き続き安定した状態で包装箱を運搬することができる。
【００１３】
また、このように当初の手掛け穴の上端の左右から包装箱の上縁に向かう破れ目が生じても、破れ目の伸展は第２切込み線と破れ目とが出会う邂逅位置で止まるので、外観が良好に保たれ易くなる。
【００１４】
本発明の他の特徴構成は、前記第２切込み線が互いに左右に離間配置された一対の切込み線で構成されている点にある。
【００１５】
本構成であれば、第２切込み線が左右に延びた一本の切込み線などで構成されている構成に比べると、最初の工程として当初の手掛け穴が形成されている段階において、手掛け穴の上端から天井板部までに位置する側壁の部位が横向きの力に対する堅牢性を備えているので、大きな上向きの荷重が手掛け穴に加えられても、手掛け穴の上端の左右から包装箱の上縁に向かう破れ目が生じ難くなる。
【００１６】
本発明の他の特徴構成は、前記第２切込み線が前記側壁を構成する段ボールの段目に対して傾斜するように形成されている点にある。
【００１７】
本構成であれば、第２切込み線が側壁を構成する段ボールの段目に沿って延びている構成や同段目と直交して延びている構成に比べて、当初の手掛け穴の上端の左右から包装箱の上縁に向かう破れ目が、第２切込み線を越えて更に天井板部に向かって伸展する虞が少ない。
【００１８】
本発明の他の特徴構成は、前記第２切込み線が水平方向に対して傾斜して延びている点にある。
【００１９】
第２切込み線が水平に延びた構成でもよいが、本構成のように第２切込み線が水平方向に対して傾斜して延びていれば、手掛け穴形成部の上端と第２切込み線とで挟まれた中間部位が押込み力によって第２切込み線に沿って内側に折れ曲がるような現象がより生じ難くなるので、使用者が手掛け穴を用いて包装箱を運搬する際、中間部位が荷重によって破れる等の現象も生じ難くなる。
【００２０】
本発明の他の特徴構成は、前記第２切込み線が同第２切込み線の下方に中心を備えた円弧状を呈している点にある。
【００２１】
本構成であれば、第２切込み線が水平方向に対して傾斜して延びた直線からなる構成よりも、中間部位が押込み力によって第２切込み線に沿って内側に折れ曲がる現象がさらに生じ難くなるので、中間部位が更に破れ易くなる。
また、本構成であれば、第２切込み線が水平方向に対して傾斜して延びた直線からなる構成に比べて、折曲げ予定線または折曲げ予定線の両端から下方領域に向かって延びた第１切込み線と、第２切込み線との間の最短距離が均等になるので、中間部位が荷重によって破れ難くなり、好都合である。
【００２２】
本発明の他の特徴構成は、前記第２切込み線が左右外側に向かって次第に下降する向きに傾斜している点にある。
【００２３】
本構成であれば、例えば傾斜方向が逆で、第２切込み線が左右外側に向かって次第に上昇する向きに傾斜している構成などに比べて、当初の手掛け穴の上端の左右から包装箱の上縁に向かう破れ目が第２切込み線と出会い易くなるので、より確実に破れ目が第２切込み線の位置で止まる。
【００２４】
本発明の他の特徴構成は、第２切込み線の上端部には内側下方に向かう小径円弧状の湾曲部が設けられている点にある。
【００２５】
本構成であれば、もしも更に大きな荷重が二次手掛け穴に加えられても、第２切込み線の上端部に設けられている内側下方に向かう小径円弧状の湾曲部の作用で、破れ目が第２切込み線に沿って更に上向きに伸展するなどの事態となり難い。
【００２６】
本発明の他の特徴構成は、前記第２切込み線と前記天井板部との間に鉛直線と交差する第３切込み線が設けられている点にある。
【００２７】
本構成であれば、もしも、手掛け穴の上端の左右から包装箱の上縁に向かう破れ目の伸展が第２切込み線との邂逅位置で止まらず、第２切込み線から上方に発展しても、同破れ目の伸展は、第２切込み線の上方に設けられた第３切込み線と破れ目とが出会う邂逅位置で止まる。その結果、これら２つの新たな邂逅位置を横に結ぶ位置に形成される新たな手掛け部を用いて、引き続き安定した状態で包装箱を運搬することができる。
【図面の簡単な説明】
【００２８】
【図１】本発明に係る包装箱を示す斜視図である。
【図２】本発明に係る包装箱の展開図である。
【図３】本発明に係る包装箱の手掛け穴形成部を示す説明図である。
【図４】本発明の別の実施形態による包装箱を示す斜視図である。
【図５】本発明の別の実施形態による手掛け穴形成部を示す説明図である。
【図６】手掛け穴形成部の別実施形態を示す説明図である。
【図７】手掛け穴形成部の別実施形態を示す説明図である。
【図８】手掛け穴形成部の別実施形態を示す説明図である。
【図９】手掛け穴形成部の別実施形態を示す説明図である。
【図１０】手掛け穴形成部の別実施形態を示す説明図である。
【図１１】手掛け穴形成部の別実施形態を示す説明図である。
【図１２】手掛け穴形成部の別実施形態を示す説明図である。
【図１３】手掛け穴形成部の別実施形態を示す説明図である。
【図１４】手掛け穴形成部の別実施形態を示す説明図である。
【図１５】手掛け穴形成部の別実施形態を示す説明図である。
【図１６】手掛け穴形成部の別実施形態を示す説明図である。
【図１７】手掛け穴形成部の別実施形態を示す説明図である。
【図１８】手掛け穴形成部の別実施形態を示す説明図である。
【図１９】手掛け穴形成部の別実施形態を示す説明図である。
【図２０】手掛け穴形成部の別実施形態を示す説明図である。
【図２１】手掛け穴形成部の別実施形態を示す説明図である。
【図２２】手掛け穴形成部の別実施形態を示す説明図である。
【図２３】手掛け穴形成部の別実施形態を示す説明図である。
【図２４】手掛け穴形成部の別実施形態を示す説明図である。
【図２５】手掛け穴形成部の別実施形態を示す説明図である。
【図２６】手掛け穴形成部の別実施形態を示す説明図である。
【図２７】手掛け穴形成部の別実施形態を示す説明図である。
【図２８】手掛け穴形成部の別実施形態を示す説明図である。
【図２９】手掛け穴形成部の別実施形態を示す説明図である。
【図３０】従来技術による包装箱を示す斜視図である。
【図３１】従来技術による包装箱の手掛け穴形成部を示す断面図である。
【発明を実施するための形態】
【００２９】
以下に本発明を実施するための形態について図面を参照しながら説明する。
（第１実施形態）
本発明の第１実施形態による包装箱１を図１から図３に示す。図１に示す包装箱１は段ボール紙などの可撓性のある材料で作られており、液体の入った多数のペットボトル（不図示）などの物品を内部に詰め込んで運搬及び貯蔵するためなどに用いられる。
【００３０】
包装箱１の展開図を示す図２から理解されるように、包装箱１は互いに隣接配置された４つの側壁２，３，４，５を備え、各側壁の下端からは底板部２Ｂ，３Ｂ，４Ｂ，５Ｂが延設され、各側壁の下端からは天井板部２Ｔ，３Ｔ，４Ｔ，５Ｔが延設され、最も右側の側壁５の側方には糊代部５Ｓが延設されている。
【００３１】
図２に示す展開状態から包装箱１を組み立てる際には、図２における下部折曲げ線ＢＬを中心に底板部２Ｂ，３Ｂ，４Ｂ，５Ｂを折り曲げ、側部折曲げ線ＳＬを中心に側壁２，３，４，５どうしを折り曲げ、底板部２Ｂ，３Ｂ，４Ｂ，５Ｂどうしを接着または接合し、糊代部５Ｓを最も左側の側壁２と接着または接合することで、上部が開放された状態の包装箱１が得られる。
【００３２】
次に、包装箱１の内部に所定数量のペットボトルなどの物品を収納した後、上部折曲げ線ＴＬを中心に天井板部２Ｔ，３Ｔ，４Ｔ，５Ｔを折り曲げ、天井板部２Ｔ，３Ｔ，４Ｔ，５Ｔどうしを接着または接合すると、図１に示す中身入りの包装箱１が完成する。
側壁２，４の各上端付近には、利用者が簡単に手掛け穴（当初の手掛け穴）を形成するための手掛け穴形成部６が設けられている。
【００３３】
図３に示すように、手掛け穴形成部６は、側壁２，４と天井板部２Ｔ，４Ｔとの境界に位置する上部折曲げ線ＴＬよりも下方の位置で左右に延びた折曲げ予定線７と、折曲げ予定線７の左右両端付近から概して下方に延びて手掛け穴（当初の手掛け穴）の輪郭を形成する第１切込み線８とを有する。手掛け穴形成部６は概ね鉛直線に関して左右対称の形状を備えている。
【００３４】
より具体的には、折曲げ予定線７は、他の部位よりも折曲げられ易く形成してあり、例えば段ボール紙の内側から直線状のプレスを掛けることで実現できるが、ミシン線によって構成してもよい。
【００３５】
第１切込み線８は、折曲げ予定線７の左右両端付近から外側に膨らみながら下方に延びる半円状の左右一対の湾曲部８Ａと、湾曲部８Ａの下端付近から側壁２，４の幅方向の中心付近に向かって直線状に延びる左右一対の直線部８Ｂと、湾曲部８Ａの上端から内側下方に向かって小さく湾曲状に延びる左右一対の補助湾曲部８Ｃとを有する。
【００３６】
折曲げ予定線７と第１切込み線８とで囲まれた横長の長円形の領域は、使用者が包装箱１の内部に向けて押込むことで手掛け穴Ｈ１（当初の手掛け穴）を形成する被操作部６Ａを構成している。
尚、左右一対の直線部８Ｂの左右の中心の１箇所にのみ短い一時接続部８Ｊが、手掛け穴Ｈ１が形成される前の被操作部６Ａが側壁２，４に対して不用意に揺動操作されないための未切断部として残されており、使用者が被操作部６Ａを押込む際に加える外力によって、折曲げ予定線７ではなく第２切込み線９を介して側壁２，４の一部が折れ曲がる現象を抑制する目的で、湾曲部８Ａには未切断部が設けられていない。
【００３７】
さらに、手掛け穴形成部６は、第１切込み線８の左右一対の上端付近から上方に離間した位置で、鉛直線と交差するように延びる第２切込み線９を含む。第２切込み線９は互いに左右に離間配置された一対の第２切込み線９からなる。
【００３８】
図３に示す例では、個々の第２切込み線９の大部分は、折曲げ予定線７と湾曲部８Ａとの接続部から概して真上に離間した第１端から、湾曲部８Ａの外側の端部よりも外側に位置する第２端に向かって左右外側に向かって次第に下降する向きに傾斜して延びる直線部９Ａによって構成されているが、直線部９Ａの前記第１端からは小径円弧状の湾曲部９Ｂが内側下方に向かって一体的に延びている。
【００３９】
使用者が、折曲げ予定線７と第１切込み線８とで囲まれた被操作部６Ａに対して、包装箱１の内部に向かう押込み力を加えると、一時接続部８Ｊが切断されて、被操作部６Ａは第１切込み線８で周囲の側壁２，４と分離され、引き続き、折曲げ予定線７を中心として折り曲げられることで、図３（ｂ）に示すように、概して水平方向に延びた長円形の手掛け穴Ｈ１（当初の手掛け穴）が形成される。
【００４０】
使用者は、このようにして得られた一対の手掛け穴Ｈ１（側壁２に形成された手掛け穴Ｈ１と側壁４に形成された手掛け穴Ｈ１）の上端に概して折曲げ予定線７と一致して形成されたハンドル部Ｇ１に手指を掛けた状態で、物品を収納した包装箱１を搬送することができ、一般的には、使用者が搬送している間も図３（ｂ）に示される状態の手掛け穴Ｈが維持される。
【００４１】
他方、内容物が重過ぎる場合や、想定よりも勢いよく持ち上げられたために包装箱１と内容物との合計質量を大きく超える荷重が手掛け穴Ｈに加えられると、図３（ｃ）に例示されるように、第１切込み線８の一対の上端（折曲げ予定線７の両端と略一致する）付近から上方に向かう破れ目Ｆが生じ、上方に向かって広がった二次手掛け穴Ｈ２が形成されてしまう場合がある。
【００４２】
しかし、殆どの場合、図３（ｃ）に例示されるように、破れ目Ｆの伸展は第１切込み線８の一対の上端付近の上方に設けられた第２切込み線９の直線部９Ａと出会う邂逅位置で止まり、これら２つの邂逅位置を横に結ぶ新たな堅牢な二次ハンドル部Ｇ２が形成されるので、二次手掛け穴Ｈ２は引き続き安定した状態で手掛け穴としての機能を果たすことができる。
【００４３】
尚、第２切込み線９の大部分を占める直線部９Ａは、側壁２，４を構成する段ボールの段目に対して傾斜しているので、破れ目Ｆの伸展はより確実に上述した邂逅位置で止められる。尚、段目とは、段ボールを構成する波板状の中芯の山部または谷部に沿った向きを指し、段ボール箱の側壁においては一般的に鉛直線と略一致している。
【００４４】
また、仮に更に大きな荷重が二次手掛け穴Ｈ２に加えられても、第２切込み線９の上端部には内側下方に向かう小径円弧状の湾曲部９Ｂが設けられているので、破れ目が第２切込み線９に沿って更に上向きに伸展するなどの事態とはなり難い。
【００４５】
（第２実施形態）
図４と図５に例示する第２実施形態では、第２切込み線９は、第１切込み線８における左右一対の円弧状の湾曲部８Ａの各中心Ｐ付近に中心を持ち、左右一対の湾曲部８Ａの上端よりも内側に位置する一端から同上端付近よりも大きく外側に位置する他端まで延びる円弧状を呈し、第２切込み線９を構成する円弧は水平に対して外側部位が下がるように傾斜している。
【００４６】
第２実施形態における第２切込み線９を構成する円弧の半径：ｒ２は、第１切込み線８の湾曲部８Ａを構成する円弧の半径：ｒ１の２倍〜２．５倍（より好適な値は２．２〜２．３倍）とされている。
また、中心Ｐを通る鉛直線から第２切込み線９の内側端部までの角度：α１＝１５°〜２０°（より好適な値は１７°〜１９°）とされており、鉛直線から第２切込み線９の外側端部までの角度：α２＝５０°〜６０°（より好適な値は５４°〜５６°）とされている。
さらに、第２切込み線９の外側の端部と内側の端部を結ぶ外下がりの仮想直線の水平線に対する傾斜角度：β＝１５°〜２５°（より好適な値は１９°〜２１°）とされている。
【００４７】
第２切込み線９の内側端部どうしの距離：Ｌ４が小さ過ぎる場合、及び、左右の各第２切込み線９の左右の幅：Ｌ５が長過ぎる場合は、使用者が被操作部６Ａを押込む際に加える外力によって、折曲げ予定線７ではなく第２切込み線９を介して側壁２，４の一部が折れ曲がる現象が生じ易くなる。
【００４８】
また、Ｌ５が長過ぎると、被操作部６Ａが押込まれる前の側壁２，４の上下方向からの圧縮力に対する強度が不足する、或いは、手掛け穴Ｈ１が形成された後に、湾曲部８Ａの上端と第２切込み線９とで挟まれた中間部位が第２切込み線９付近で折れ曲がり易くなる等の現象が生じる。
【００４９】
さらに、第２切込み線９の外側端部が湾曲部８Ａの上端と同等の高さ位置まで延びていたり、同上端よりも下方まで延びていたりすると、特に手掛け穴Ｈ１が形成された後で、湾曲部８Ａの上端と第２切込み線９とで挟まれた中間部位が第２切込み線９付近で折れ曲がり易くなる現象が生じる。
【００５０】
また、第１切込み線８の湾曲部８Ａから第２切込み線９までの距離が小さ過ぎる場合も、使用者が被操作部６Ａを押込む際に加える外力によって、折曲げ予定線７ではなく第２切込み線９を介して側壁２，４の一部が折れ曲がる現象や、手掛け穴Ｈ１が形成された後に、湾曲部８Ａの上端と第２切込み線９とで挟まれた中間部位が第２切込み線９付近で折れ曲がり易くなる等の現象が生じる。
したがって、これらの現象が抑制されるようにＬ４，Ｌ５，Ｌ７，ｒ２−ｒ１などの値が決められる。
【００５１】
段ボール箱に適用する際の適切な具体的寸法の一例としては、折曲げ予定線７の長さ：Ｌ１＝４０ｍｍ、左右一対の補助湾曲部８Ｃの内側の端部どうしの距離：Ｌ２＝３５ｍｍ、左右一対の中心Ｐどうしの距離：Ｌ３＝４５ｍｍ、第２切込み線９の内側端部どうしの距離：Ｌ４＝３０ｍｍ、左右の各第２切込み線９の左右の幅：Ｌ５＝３０ｍｍ、第１切込み線８の一時接続部８Ｊの幅：Ｌ６＝２ｍｍ、湾曲部８Ａの上端から第２切込み線９の外側端部までの上下方向の距離：Ｌ７＝３ｍｍ、対応する側壁２，４の上端から第２切込み線９までの上下方向の最短距離：Ｌ８＝２０ｍｍ、前述の半径：ｒ１＝１２．５ｍｍ、前述の半径：ｒ２＝２７．５ｍｍ、補助湾曲部８Ｃの半径：ｒ３＝４ｍｍの組み合わせが挙げられる。
【００５２】
尚、上記の寸法例の中のＬ４、Ｌ５、Ｌ７や第２切込み線９を構成する円弧の半径：ｒ２、湾曲部８Ａの上端から第２切込み線９までの上下間隔の値：（ｒ２−ｒ１）については、前述の数値例は２０００ｍｌの液体が入った飲料用のペットボトルを６本程度収納した標準的な段ボール箱を考慮して設定されており、段ボールの厚さや材質、収納する物品の総重量などに応じて変更を検討する必要がある。
【００５３】
被操作部６Ａに対する押込み力に基づく当初の手掛け穴Ｈ１の形成工程は第１実施形態と同様である。仮に、内容物が重過ぎる場合や包装箱１と内容物との合計質量を大きく超える荷重が手掛け穴Ｈ１に加えられ、第１切込み線８の一対の上端付近から上方に向かう破れ目Ｆが生じた場合は、基本的に、破れ目Ｆの伸展は第２切込み線９と邂逅した位置で止まり、第１実施形態と同様の効果が得られる。
【００５４】
ここでも、左右一対の直線部８Ｂの左右の中心の１箇所にのみ一時接続部８Ｊが未切断部として残されており、使用者が被操作部６Ａを押込む際に加える外力によって、折曲げ予定線７ではなく第２切込み線９を介して側壁２，４の一部が折れ曲がる現象を抑制する目的で、湾曲部８Ａには未切断部が設けられていない。
【００５５】
（第３実施形態）
図６に例示する第３実施形態では、被操作部６Ａを形成する折曲げ予定線７と第１切込み線８の形状は第１実施形態と共通であり、第１実施形態と異なるのは第２切込み線９の傾斜の向きである。第３実施形態では、第２切込み線９の大部分を占める直線部９Ａは、折曲げ予定線７と湾曲部８Ａとの接続部から概して真上に離間した第１端から、湾曲部８Ａの外側の端部よりも外側に位置する第２端に向かって左右外側に向かって次第に上昇する向きに傾斜して延びている。直線部９Ａの外側の前記第２端から小径円弧状の湾曲部９Ｂが外側下方に向かって一体的に延びている。
【００５６】
被操作部６Ａに対する押込み力に基づく当初の手掛け穴Ｈ１の形成工程は第１実施形態と同様である。仮に、内容物が重過ぎる場合や包装箱１と内容物との合計質量を大きく超える荷重が手掛け穴Ｈ１に加えられ、第１切込み線８の一対の上端付近から上方に向かう破れ目Ｆが生じた場合は、基本的に、破れ目Ｆの伸展は第２切込み線９の第１湾曲部９Ｃまたは第２湾曲部９Ｄと邂逅した位置で止まり、第１実施形態と同様の効果が得られる。
【００５７】
（第４実施形態）
図７に例示する第４実施形態では、被操作部６Ａを形成する折曲げ予定線７と第１切込み線８の形状は第１実施形態と共通であり、第１実施形態と異なる点は第２切込み線９の形状である。
【００５８】
第４実施形態では、第２切込み線９はその大半が曲線で構成されており、第２切込み線９の内側の第１端部は第１切込み線８の一対の上端から上方に離間した位置に設けてあり、第２切込み線９の外側の第２端部は第１切込み線８の外側の端部から上方外側に大きく離間した位置に設けてある。
【００５９】
第２切込み線９は上述した第１端部から外側で少し上方寄りの変曲点まで僅かに下向きに膨らむように延びた第１湾曲部９Ｃと、同変曲点から上述した第２端部まで上外向きに膨らむように延びた第２湾曲部９Ｄとを有する。変曲点では第１湾曲部９Ｃと第２湾曲部９Ｄとが互いに滑らかに接続されている。
【００６０】
ここでも、被操作部６Ａに対する押込み力に基づく当初の手掛け穴Ｈ１の形成工程は第１実施形態と同様である。仮に、内容物が重過ぎる場合や包装箱１と内容物との合計質量を大きく超える荷重が手掛け穴Ｈ１に加えられ、第１切込み線８の一対の上端付近から上方に向かう破れ目Ｆが生じた場合は、基本的に、破れ目Ｆの伸展は第２切込み線９の第１湾曲部９Ｃまたは第２湾曲部９Ｄと邂逅した位置で止まり、第１実施形態と同様の効果が得られる。
【００６１】
（第５実施形態）
図８に例示する第５実施形態では、第２切込み線９は、第１切込み線８における左右一対の湾曲部８Ａの上端付近に中心を持ち、同上端付近よりも上方内側に位置する一端から同上端付近よりも上方外側に位置する他端まで延びる上向きに突出した湾曲線状を呈している。第５実施形態における第２切込み線９は、図３に例示する第２実施形態と類似しているが、第２切込み線９を構成する円弧は水平に対して傾斜していない。破れ目Ｆが生じた場合に第２切込み線９が奏する効果は上記の各実施形態と同様である。
【００６２】
（第６実施形態）
図９に例示する第６実施形態は、図６に例示する第３実施形態と類似しているが、第２切込み線９の大部分を占める直線部９Ａは概して水平に延びている。直線部９Ａの外側の前記第２端からは、第３実施形態と同様に小径円弧状の湾曲部９Ｂが外側下方に向かって一体的に延びている。
【００６３】
（第７実施形態）
図１０に例示する第７実施形態では、図７に示す第４実施形態と共通の第２切込み線９が適用されているが、被操作部６Ａを形成する折曲げ予定線７と第１切込み線８の形状が第４実施形態と異なる。
この第７実施形態では、第１切込み線８は３つの直線部の組み合わせからなる。３つの直線部は、第２切込み線９の第１湾曲部９Ｃと第２湾曲部９Ｄとの接続部よりも僅かに外側の位置から下方に離間した位置から真下に延びる第１直線部８Ｄと、第１直線部８Ｄの下端から内側下方に延びる第２直線部８Ｅと、第２直線部８Ｅの下端から内側に向かって概して水平に延びる第３直線部８Ｆとを有する。
左右一対の第３直線部８Ｆの間には、１箇所の短い一時接続部８Ｊが、手掛け穴形成部６と周囲の側壁２，４とを接続する未切断部として残されている。
【００６４】
左右一対の第１直線部８Ｄの間には、概して水平に延びた補助切込み線部１０が設けられており、折曲げ予定線７は補助切込み線部１０と第１直線部８Ｄの上端付近を概して水平に連結するように延びている。
補助切込み線部１０は、左右に概して水平に延びる一対の第１直線部１０Ａと、第１直線部１０Ａの外側の端部から外側上方に向けて斜めに延びる第２直線部１０Ｂと、第１直線部１０Ａの外側の端部から外側下方に向けて斜めに延びる第３直線部１０Ｃを有する。左右一対の第１直線部１０Ａの間には１箇所の短い未切断部１０Ｊが残されている。
【００６５】
第２直線部１０Ｂと第３直線部１０Ｃの外側の端部は、左右一対の第２切込み線９の内側の端部よりも僅かに内側に配置されている。
折曲げ予定線７は、第２直線部１０Ｂの外側の端部から第１切込み線８の第１直線部８Ｄの上端まで概して水平に延びる第１折曲げ予定線７Ａと、第３直線部１０Ｃの外側の端部から第１切込み線８の第１直線部８Ｄの上端まで概して水平に延びる第２折曲げ予定線７Ｂとを有する。これらの２本の折曲げ予定線７Ａ，７Ｂは上下方向に数ｍｍ間隔で離間し、互いに平行に延びている。
【００６６】
使用者が被操作部６Ａに押し込み力を加えると、同被操作部６Ａが第１切込み線８で切り離され、補助切込み線部１０と折曲げ予定線７付近とを中心として揺動するように箱の内部に折り込まれることで、概して矩形の当初の手掛け穴と概して下方に突出した手掛け部とが形成される。
【００６７】
このとき、折曲げ予定線７は互いに平行な上下２本の折曲げ予定線７Ａ，７Ｂとなっているので、得られる手掛け部の下端には２本の折曲げ予定線７Ａ，７Ｂの間隔と略等しい幅を備えた２つの概して平坦な矩形の受け面が形成される。したがって、折曲げ予定線７が１本だけ形成されている構成に比べて、箱の内容物が重くても、手掛け部の下端が利用者の手に食い込み難くなり好都合である。
【００６８】
仮に、内容物が重過ぎる場合や包装箱１と内容物との合計質量を大きく超える荷重が当初の手掛け穴に加えられ、第１切込み線８の一対の上端付近から上方に向かう破れ目が生じた場合は、基本的に、破れ目の伸展は第２切込み線９の第１湾曲部９Ｃまたは第２湾曲部９Ｄと邂逅した位置で止まり、第１実施形態と同様の効果が得られる。
【００６９】
（第８実施形態）
図１１に例示する第８実施形態では、第１切込み線８の下端付近を構成する左右一対の直線部８Ｂの位置は第１実施形態と同様であるが、直線部８Ｂの外側の端部から外側に円弧状に延びる左右一対の湾曲部８Ａは円の約四分の一の長さに留まっており、湾曲部８Ａの上端内側に向かって左右一対の補助湾曲部８Ｃが小さく湾曲状に延びている。
【００７０】
第８実施形態における第１切込み線８は、左右一対の湾曲部８Ａの内側に配置された概して音叉状の補助切込み線部８Ｘを含む。補助切込み線部８Ｘは、左右一対の直線部８Ｂの間に設けられた未切断部８Ｊから上方に延びる短い第１直線部８Ｇと、第１直線部８Ｇの上端に同上端から左右に延びるように接続された円弧状の湾曲部８Ｈと、湾曲部８Ｈの左右の上端から上方内側に斜めに延びる左右一対の第２直線部８Ｉとを有する。
【００７１】
第８実施形態における折曲げ予定線は、上下方向に数ｍｍ間隔で離間し、互いに平行に延びる上下一対の折曲げ予定線７１，７２からなる。
上方に位置する第１折曲げ予定線７１は、補助切込み線部８Ｘの左右一対の第２直線部８Ｉの上端どうしを水平に接続するように延びる第１直線部７１Ａと、補助切込み線部８Ｘの左右一対の第２直線部８Ｉの上端から左右一対の補助湾曲部８Ｃの上端付近まで斜め下方に延びる第２直線部７１Ｂとを有する。
【００７２】
下方に位置する第２折曲げ予定線７２は、第２直線部８Ｉの上端から数ｍｍ下方の箇所どうしを水平に接続するように延びる第１直線部７２Ａと、第２直線部８Ｉの上端から数ｍｍ下方の箇所から左右一対の補助湾曲部８Ｃの内側の端部付近まで斜め下方に延びる第２直線部７２Ｂとを有する。
【００７３】
この第８実施形態では、手掛け穴形成部６は互いに隣接しつつ切込み線で分割された３つの被操作部６ＡＣ，６ＡＲ，６ＡＬを有する。
左右の中央に位置する中央被操作部６ＡＣは、助切込み線部８Ｘの湾曲部８Ｈと左右一対の第２直線部８Ｉとで囲まれた領域に設けられている。
右側に位置する右側被操作部６ＡＲは、湾曲部８Ａ、直線部８Ｂ、第２直線部７２Ｂの各右側の部位と補助切込み線部８Ｘとで囲まれた領域に設けられている。
左側に位置する左側被操作部６ＡＬは、湾曲部８Ａ、直線部８Ｂ、第２直線部７２Ｂの各左側の部位と補助切込み線部８Ｘとで囲まれた領域に設けられている。
【００７４】
第８実施形態における第２切込み線９は、補助湾曲部８Ｃの上端から概して真上に位置する第１端から、湾曲部８Ａの外側の端部よりも外側に位置する下端に向かって下向きに傾斜して延びる直線部９Ａと、直線部９Ａの前記第１端から内側下方に向かって一体的に延びる小径円弧状の湾曲部９Ｂとを有する。
【００７５】
使用者が、上述した３つの被操作部６ＡＣ，６ＡＲ，６ＡＬに対して、包装箱１の内部に向かう押込み力を加えると、一時接続部８Ｊが切断されて、各被操作部６ＡＣ，６ＡＲ，６ＡＬは第１切込み線８で周囲の側壁２，４と分離され、概して水平方向に延びた長円形の当初の手掛け穴が形成される。
【００７６】
中央被操作部６ＡＣは、折曲げ予定線７の中央付近を構成する２本の第１直線部７１Ａ，７２Ａを中心にして包装箱１の内側の概して真上に向かって折り曲げられる。
右側被操作部６ＡＲは、中央被操作部６ＡＣ及び左側被操作部６ＡＬの双方と分離されて、折曲げ予定線７の右側部位を構成する２本の第２直線部７１Ｂ，７２Ｂを中心にして包装箱１の内側に斜めに折り曲げられ、右側の第２切込み線９の裏面に重ね合わされる。
左側被操作部６ＡＬは、中央被操作部６ＡＣ及び右側被操作部６ＡＲの双方と分離されて、折曲げ予定線７の左側部位を構成する２本の第２直線部７１Ｂ，７２Ｂを中心にして包装箱１の内側に斜めに折り曲げられ、左側の第２切込み線９の裏面に重ね合わされる。
【００７７】
仮に、内容物が重過ぎる場合や包装箱１と内容物との合計質量を大きく超える荷重が当初の手掛け穴に加えられ、第１切込み線８を構成する一対の補助湾曲部８Ｃの上端付近から上方に向かう破れ目が生じた場合は、基本的に、破れ目の伸展は第２切込み線９の第１湾曲部９Ｃまたは第２湾曲部９Ｄと邂逅した位置で止まり、第１実施形態と同様の効果が得られる。
【００７８】
（第９実施形態）
図１２に例示する第９実施形態では、当初の手掛け穴を形成するための第１切込み線８は、全体として基本的に横向きに延びた特殊な湾曲形状を含む主切込み線８１と、主切込み線８１よりも下方で概して水平に直線状に延びる左右一対の第１補助切込み線８２と、左右一対の第１補助切込み線８２の間に設けられた１箇所の短い未切断部８Ｊから真上に主切込み線８１の直前まで延びる１本の第２補助切込み線８３とを有する。
【００７９】
主切込み線８１は、左右の中心付近で滑らかな波型形状を呈しながら全体として水平に延びる中央部位８１Ａと、中央部位８１Ａの外側の端部から外側下方に斜めに延びる傾斜部位８１Ｂと、傾斜部位８１Ｂの外側の端部から概して下方に湾曲して延びる先端部位８１Ｃとを有する。上下に直線状に延びる第２補助切込み線８３の上端と中央部位８１Ａの左右中心部との間にも、１箇所の短い一時接続部８１Ｊが残されている。
【００８０】
第９実施形態における折曲げ予定線は、主切込み線８１の先端部位８１Ｃの下端から、左右一対の第１補助切込み線８２の外側の端部まで、概して鉛直状に延びる左右一対の折曲げ予定線７３によって構成されている。
主切込み線８１と左右一対の第１補助切込み線８２との間に、左右一対の被操作部、すなわち、右側被操作部６ＡＲと左側被操作部６ＡＬとが形成されている。右側被操作部６ＡＲと左側被操作部６ＡＬとは上下に延びる第２補助切込み線８３によって分割されている。
【００８１】
第９実施形態における第２切込み線９は、主切込み線８１を構成する傾斜部位８１Ｂの上端から概して真上に位置する第１端から、同傾斜部位８１Ｂの下端から概して真上に位置する第２端に向かって概して傾斜部位８１Ｂと平行に傾斜して延びる直線部９Ａと、直線部９Ａの前記第１端から内側下方に向かって一体的に延びる小径円弧状の湾曲部９Ｂとを有する。
【００８２】
使用者が、上述した２つの被操作部６ＡＲ，６ＡＬに対して、包装箱１の内部に向かう押込み力を加えると、２箇所の一時接続部８Ｊ、８１Ｊが切断されて、各被操作部６ＡＲ，６ＡＬは周囲の側壁２，４と分離されて、左右一対の折曲げ予定線７３を中心として包装箱１の内側へと横向きに揺動され、概して水平方向に延びた矩形の当初の手掛け穴が形成される。主切込み線８１に設けられた滑らかな波型形状の中央部位８１Ａが手掛け部として機能し、手掛け穴に挿し入れた使用者の複数の指が中央部位８１Ａの波型の窪んだ部位で受け止められるので包装箱１の搬送が容易になる。
【００８３】
仮に、内容物が重過ぎる場合や包装箱１と内容物との合計質量を大きく超える荷重が当初の手掛け穴に加えられると、主切込み線８１を構成する傾斜部位８１Ｂの一部から上方に向かう破れ目が生じるが、基本的に、破れ目の伸展は第２切込み線９の第１湾曲部９Ｃまたは第２湾曲部９Ｄと邂逅した位置で止まり、第１実施形態と同様の効果が得られる。
【００８４】
（第１０実施形態）
図１３に例示する第１０実施形態は、主切込み線８１の左右の中心付近で水平に延びる中央部位８１Ａが波型形状ではなく直線状を呈している点を除けば、図１２に示す第９実施形態と同じ構成である。
【００８５】
（第１１実施形態）
図１４に例示する第１１実施形態では、左右一対の第２切込み線９の大半を占める直線部９Ａが、図６に示す第３実施形態と同様に、左右一対の第２切込み線９の内側の第１端から外側の第２端に向かって次第に上昇する向きに傾斜して延びている点を除けば、第１切込み線８及び左右一対の折曲げ予定線７３の形状も含めて、図１３に示す第１０実施形態と同じ構成である。直線部９Ａの外側の前記第２端からは小径円弧状の湾曲部９Ｂが外側下方に向かって一体的に延びている。
【００８６】
（第１２実施形態）
図１５に例示する第１２実施形態では、左右一対の第２切込み線９が、図８の第５実施形態と同様に上方に突出した湾曲状を呈している点を除けば、第１切込み線８及び左右一対の折曲げ予定線７３の形状も含めて、図１３、図１４に示す各実施形態と同じ構成である。
【００８７】
（第１３実施形態）
図１６に例示する第１３実施形態では、左右一対の第２切込み線９が概して水平に延びる直線状を呈している点を除けば、第１切込み線８及び左右一対の折曲げ予定線７３の形状も含めて、図１３−図１５に示す各実施形態と同じ構成である。
【００８８】
（第１４実施形態）
図１７に例示する第１４実施形態では、被操作部６Ａを形成する折曲げ予定線７と第１切込み線８の形状は第１実施形態と共通であり、第１実施形態と異なる点は第２切込み線９の形状である。
【００８９】
第１４実施形態では、第２切込み線９は折曲げ予定線７よりも上方の位置で概して水平に延びる左右一対の直線状の切込み線で構成されている。
第２切込み線９の内側の第１端部は第１切込み線８と折曲げ予定線７の接続部よりも内側に設けてあり、第２切込み線９の外側の第２端部は第１切込み線８の外側の端部から上方外側に離間した位置に設けてある。
【００９０】
被操作部６Ａに対する押込み力に基づく当初の手掛け穴の形成工程は第１実施形態と同様である。仮に、内容物が重過ぎる場合や包装箱１と内容物との合計質量を大きく超える荷重が手掛け穴に加えられ、第１切込み線８の一対の上端付近から上方に向かう破れ目が生じた場合は、基本的に、破れ目の伸展は第２切込み線９の一部と邂逅した位置で止まり、第１実施形態と同様の効果が得られる。
【００９１】
（第１５実施形態）
図１８に例示する第１５実施形態は、左右一対の第２切込み線９の両端から小径円弧状の湾曲部９Ｂが下方に向かって一体的に延びている点を除けば、図１７に示す第１４実施形態と同じ構成である。
【００９２】
〔別実施形態〕
〈１〉図１９から図２９に例示するように、手掛け穴形成部６が、第２切込み線９の他に、第２切込み線９と天井板部２Ｔ，４Ｔまたは上部折曲げ線ＴＬとの間に配置された左右一対の概して水平に延びる第３切込み線１４を設けた形態で実施することも可能である。
基本的に、第３切込み線１４の左右の位置は、第１切込み線８の左右一対の湾曲部８Ａと第２切込み線９の上端付近とを結ぶ仮想線と交差するように設定されている。
【００９３】
図１９に示す実施形態は、図１〜図３に示す第１実施形態に第３切込み線１４を加えた内容となっており、各第３切込み線１４の左右の中心は、第２切込み線９の内側に位置する上端から上方に離間した位置に配置されている。
【００９４】
図２０に示す実施形態は、図６に示す第３実施形態に第３切込み線１４を加えた内容となっており、各第３切込み線１４の左右の中心は、第２切込み線９の外側に位置する上端から上方で僅かに外寄りに離間した位置に配置されている。
【００９５】
図２１に示す実施形態は、図８に示す第５実施形態に第３切込み線１４を加えた内容となっており、各第３切込み線１４の左右の中心は、第２切込み線９の左右中心よりも外側の部位から上方に離間した位置に配置されている。
【００９６】
図２２に示す実施形態は、図９に示す第６実施形態に第３切込み線１４を加えた内容となっており、各第３切込み線１４の左右の中心は、概して、第２切込み線９の外側に位置する湾曲部９Ｂから上方で僅かに外寄りに離間した位置に配置されている。
【００９７】
図２３に示す実施形態は、図１８に示す実施形態に第３切込み線１４を加えた内容となっており、各第３切込み線１４の左右の中心は、第２切込み線９の外側に位置する上端から上方で外寄りに離間した位置に配置されている。この実施形態は、左右一対の第２切込み線９の外側だけでなく左右両端から小径円弧状の湾曲部９Ｂが下方に向かって一体的に延びている点と、第３切込み線１４の外側端部が第２切込み線９の外側端部よりも外側まで延びる長さが少ない点とを除けば、図２２に示す実施形態と類似した構成である。
【００９８】
図２４に示す実施形態は、図１１に示す第８実施形態に第３切込み線１４を加えた内容となっており、各第３切込み線１４の左右の中心は、第２切込み線９の内側に位置する湾曲部９Ｂから上方の少し内側に離間した位置に配置されている。
【００９９】
図２５に示す実施形態は、図１２に示す第９実施形態に第３切込み線１４を加えた内容となっており、各第３切込み線１４の左右の中心は、第２切込み線９の内側に位置する湾曲部９Ｂから上方の少し内側に離間した位置に配置されている。
【０１００】
図２６に示す実施形態は、主切込み線８１に設けられた中央部位８１Ａが波型形状ではなく、概して直線状を呈している点と、左右一対の第３切込み線１４の長さが約半分に縮小されている点とを除けば、図２５に示す実施形態と同じ構成である。
【０１０１】
図２７に示す実施形態は、左右一対の第２切込み線９の大半を占める直線部９Ａが、図２６に示す実施形態とは逆の傾斜で、左右一対の第２切込み線９の内側の第１端から外側の第２端に向かって次第に上昇する向きに傾斜して延びている点を除けば、図２６に示す実施形態と同じ構成である。
【０１０２】
小径円弧状の湾曲部９Ｂは第２切込み線９の外側から下方に向かって一体的に延びており、左右一対の概して水平で直線状の第３切込み線１４の内側の端部は概して直線部９Ａと湾曲部９Ｂの境界の上方に位置し、第３切込み線１４の外側の端部は湾曲部９Ｂの外側の端部よりも十分に外側に位置している。
【０１０３】
図２８に示す実施形態は、左右一対の第２切込み線９が概して図１５と同様に上方に突出した円弧状を呈している点を除けば、図２７に示す実施形態と同じ構成である。左右一対の概して水平で直線状の第３切込み線１４は、第２切込み線９の外側の端部よりも僅かに内側で上方の位置から外側に向かって延びている。
【０１０４】
図２９に示す実施形態は、図１６に示す第１３実施形態に対して、その第２切込み線９の上方に概して水平で直線状の第３切込み線１４を加えた構成とされている。第３切込み線１４の内側端部は第２切込み線９の内側端部よりも僅かに外側に位置し、第３切込み線１４の外側端部も第２切込み線９の外側端部よりも外側に位置する。第３切込み線１４は第２切込み線９よりも長く、第３切込み線１４の外側端部は左右一対の折曲げ予定線７３よりも外側に位置する。
【０１０５】
〈２〉上記の各実施形態において、第１切込み線８、第２切込み線９、第３切込み線１４は、双方ともに、側壁２，４を完全に貫通するように設けることができる。しかし、特に第２切込み線９と第３切込み線１４については、側壁２，４の外表面まで完全には切込みが貫通しておらず、包装箱１の外観からは殆ど第２切込み線９や第３切込み線１４が見えない形態で実施することも可能である。
【０１０６】
〈３〉包装箱１の素材は段ボール紙に限らず、ボール紙、プラスチック段ボールなどを用いてもよい。
【産業上の利用可能性】
【０１０７】
本発明は、少なくとも一対の互いに対向する側壁と、側壁の上端から横向きに延びる天井板部とを有し、一対の側壁に、折曲げ予定線と第１切込み線とを含む手掛け穴形成部が設けられている包装箱に従来見られた課題を解決するための技術として利用可能である。
【符号の説明】
【０１０８】
１      包装箱
２      側壁（３，４，５）
２Ｔ    天井板部（３Ｔ，４Ｔ，５Ｔ）
６      手掛け穴形成部
６Ａ    被操作部
７      折曲げ予定線
８      第１切込み線
８Ａ    湾曲部
８Ｂ    直線部
８Ｃ    補助湾曲部
９      第２切込み線
９Ａ    直線部
９Ｂ    湾曲部
１４    第３切込み線
Ｆ      破れ目
Ｇ２    二次ハンドル部
Ｈ      手掛け穴
Ｈ１    手掛け穴（当初の手掛け穴）
Ｈ２    二次手掛け穴
ＴＬ    上部折曲げ線
【図１】
2013241216.tif 000003
【図２】
2013241216.tif 000004
【図３】
2013241216.tif 000005
【図４】
2013241216.tif 000006
【図５】
2013241216.tif 000007
【図６】
2013241216.tif 000008
【図７】
2013241216.tif 000009
【図８】
2013241216.tif 000010
【図９】
2013241216.tif 000011
【図１０】
2013241216.tif 000012
【図１１】
2013241216.tif 000013
【図１２】
2013241216.tif 000014
【図１３】
2013241216.tif 000015
【図１４】
2013241216.tif 000016
【図１５】
2013241216.tif 000017
【図１６】
2013241216.tif 000018
【図１７】
2013241216.tif 000019
【図１８】
2013241216.tif 000020
【図１９】
2013241216.tif 000021
【図２０】
2013241216.tif 000022
【図２１】
2013241216.tif 000023
【図２２】
2013241216.tif 000024
【図２３】
2013241216.tif 000025
【図２４】
2013241216.tif 000026
【図２５】
2013241216.tif 000027
【図２６】
2013241216.tif 000028
【図２７】
2013241216.tif 000029
【図２８】
2013241216.tif 000030
【図２９】
2013241216.tif 000031
【図３０】
2013241216.tif 000032
【図３１】
2013241216.tif 000033